(57)【要約】【課題】遊技者が容易に見易くかつ操作が容易で、パチンコ機の着脱に緩衝することのない可倒式表示装置を提供する。【解決手段】遊技機を取付けた取付け基枠の遊技機間に設けられる情報端末の可倒式表示装置２０であって、該可倒式表示装置の表示部５５を回動可能に設ける。【選択図】        図２１
2006026438.tif 000002
【特許請求の範囲】
【請求項１】
遊技機を取付けた取付け基枠の遊技機間に設けられる情報端末の可倒式表示装置であって、該可倒式表示装置の表示部が回動可能であることを特徴とする遊技機における可倒式表示装置。
【請求項２】
前記可倒式表示装置は、少なくとも前記取付け基枠の一部を構成する取付枠体と、該取付枠体に取付けられて前記表示部を回動可能に支持する表示部受け枠体とより構成したことを特徴とする請求項１の遊技機における可倒式表示装置。
【請求項３】
前記可倒式表示装置の取付枠体には凹部を有する略コ字形状の表示部受け枠体がスライド手段を介して取付けられ、この表示部受け枠体の凹部には表示部が軸部を介して回動可能に取付けられるとともに、該表示部は前記凹部に納める位置と、前記遊技機の前面側で遊技者が正視可能な位置とに回動規制可能に構成したことを特徴とする請求項１または請求項２の遊技機における可倒式表示装置。
【請求項４】
前記取付枠体と表示部受け枠体の間に介装されるスライド手段は、前記取付枠体側に取付けられる上下にスライド長穴を有するスライド支持片を形成したスライド支持部材と、表示部受け部材側に取付けられる上下に前記スライド長穴に挿通ガイドされるスライドピンを有する支持片を形成したロックブラケットとからなり、前記表示部受け枠体はスライド長穴を介して前記取付枠体に連結される位置と、遊技機の前部側方の位置とに移動可能に構成したことを特徴とする請求項１、請求項２または請求項３の遊技機における可倒式表示装置。
【発明の詳細な説明】
【技術分野】
【０００１】
この発明は、パチンコ機あるいはスロットルマシン等の遊技機に係り、詳しくは遊技機の側部に装備されて遊技者にサービス情報を提供するための情報端末の可倒式表示装置に関する。
【背景技術】
【０００２】
近時、例えばパチンコホールにおいて、遊技者へのサービスの手段として各パチンコ機毎に設置できる情報端末（表示装置ともいう）が開発されている。この表示装置１は例えば図２３に示すように、パチンコ機２を取付けた取付け基枠の相互間の間柱３に取付けられて、パチンコ機２の着脱を考慮して遊技者Ｍの側方へ垂直状に張出し形成する構成が取られている。
【発明の開示】
【発明が解決しようとする課題】
【０００３】
しかしながら、この従来の取付け構成では表示装置１は固定的に垂直状に張出しているので遊技者Ｍが表示部を目視するのに極めて困難である。このため、極めて省スペースに取付けが可能で、表示部がより大きく見易いことが要求されているが、例えばパチンコ機２の上部側の欄間部分に取付けることが考慮されるが、この欄間部に取付けた場合、操作する上で遊技者Ｍに疲労感を与え、サービスを半減させることとなり、見易くかつ操作し易い要求を満たすことのできない問題があった。
本発明は、上記従来の問題点を解決するためになされたもので、省スペースである遊技機間に取付けが可能であって、遊技者が容易に見易くかつ操作が容易で、遊技機の着脱に干渉することのない可倒式表示装置を提供することを目的とするものである。
【課題を解決するための手段】
【０００４】
本発明は、上記技術課題を解決するため、
請求項１の発明は、遊技機を取付けた取付け基枠の遊技機間に設けられる情報端末の可倒式表示装置であって、該可倒式表示装置の表示部が回動可能であることであり、
請求項２の発明は、前記可倒式表示装置は、少なくとも前記取付け基枠の一部を構成する取付枠体と、該取付枠体に取付けられて前記表示部を回動可能に支持する表示部受け枠体とより構成したことであり、
請求項３の発明は、前記可倒式表示装置の取付枠体には凹部を有する略コ字形状の表示部受け枠体がスライド手段を介して取付けられ、この表示部受け枠体の凹部には表示部が軸部を介して回動可能に取付けられるとともに、該表示部は前記凹部に納める位置と、前記遊技機の前面側で遊技者が正視可能な位置とに回動規制可能に構成したことであり、
請求項４の発明は、前記取付枠体と表示部受け枠体の間に介装されるスライド手段は、前記取付枠体側に取付けられる上下にスライド長穴を有するスライド支持片を形成したスライド支持部材と、表示部受け部材側に取付けられる上下に前記スライド長穴に挿通ガイドされるスライドピンを有する支持片を形成したロックブラケットとからなり、前記表示部受け枠体はスライド長穴を介して前記取付枠体に連結される位置と、遊技機の前部側方の位置とに移動可能に構成した遊技機における可倒式表示装置ある。
【発明の効果】
【０００５】
請求項１、請求項２および請求項３の発明によれば、表示部は回動可能であり、かつ表示部受け枠体に対し、その凹部に納める位置と、軸部を中心として遊技者が正視し得る角度位置に角度保持可能であるから、遊技者は容易に操作部を操作することができるとともに、表示部を正視することができるので、疲労することがない。また、遊技機の異常でガラス枠、中枠等を開閉操作する際に、表示枠体が干渉する場合はは支持ストッパーを突起より外すことで、ほぼ自動的に支持枠体は凹部側へ納めることができるのでガラス枠、中枠等を開閉操作を迅速に行うことができ異常に対処できる。
請求項４の発明によれば、上記効果に加えて、表示部受け枠体は、常時には取付枠体に連結されているので、表示部を回動操作してもぐらつき等することなく、安定保持することができる。また、遊技機を交換する場合、表示部を表示部受け枠体の凹部に納めることで交換することができるが、遊技機によっては干渉する場合があるが、スライド支持部材のスライド長穴を介して表示部受け枠体を手前側へ引くことで、表示部受け枠体は表示部と一体に、表示部の裏面側側方へ引き出しされ、遊技機の前面は広げられて交換を容易に行うことができる。また、この可倒式表示装置は表示部を凹部に納めることで、輸送時には省スペースに梱包することのできる便利性がある。
【発明を実施するための最良の形態】
【０００６】
次に、本発明の実施形態を図面にしたがって説明すると、図１は可倒式表示装置２０の正面図、図２は図１の左側面図、図３は図１の右側面図を示すもので、この可倒式表示装置（以下、単に表示装置という）２０は取付枠体２１と表示部受け枠体２２と表示枠体５５とより構成されている。
【０００７】
この取付枠体２１には各種計数処理手段が内装されており、同取付枠体２１は取付け基枠の間柱３に取付け可能な所定の高さを有する略方形中空柱状に形成され、その前面側には表示部受け枠体２２を着脱可能に取付ける後述するスライド支持部材９０が取付けられている。この取付枠体２１に取付けられる表示部受け枠体２２は合成樹脂材を射出成形してなるもので、この表示部受け枠体２２は取付枠体２１への取付部２３と下部支持部２４と上部支持部２５とにより、表示枠体５５を納める凹部２６を有する略コ字形状に形成され、この表示部受け枠体２２はほぼ対称形状で半割りの表面受け枠体２７と裏面受け枠体２８の２部材による中空部を有する合せ型に形成されている。なお、この両枠体２７，２８により形成される中空部内には配線機器が内装されるが、これを省略し、組み立て要部のみを説明する。
【０００８】
この表面受け枠体２７は図４および図５に示すように、縦枠部２９と上部枠部３２と下部枠部３５が一体に形成され、この縦枠部２９の縦合せ縁３０は上下に段差する上縁３０ａと下縁３０ｂに形成され、この上下縁３０ａ，３０ｂは表面板２７ａ側に向けて傾斜され、この下縁３０ｂの上下方向の所定の範囲では水平部が形成されて傾斜面との間に突起３１が形成されている。また、上部枠部３２は図示のように略扇形形状に形成されて、縦合せ縁３０と連続する水平合せ縁３３と円弧合せ縁３４が形成されている。また、下部枠部３５には縦合せ縁３０と連続して上部の水平合せ縁３３と平行状に水平合せ縁３６が形成され、この水平合せ縁３６と連続して斜状の下部合せ縁３７が形成されている。また、この上下の水平合せ縁３３，３６の端部寄りの所定の位置には対応して表示枠体５５を回転可能に支承する半割りの軸受部３８，３９が形成されている。また、取付開口側となる上下方向には所定の間隔で複数のビス受け（本例では４か所示す）４０が形成されている。
【０００９】
また、裏面受け枠体２８は表面受け枠体２７とほぼ対称に形成され、図６および図７に示すように縦枠部４２と上部枠部４４と下部枠部４７が一体に形成され、この縦枠部４２の縦合せ縁４３は上下に段差する上縁４３ａと下縁４３ｂに形成され、また、上部枠部４４は図示のように略扇形形状に形成されて、縦合せ縁４３と連続する水平合せ縁４５と円弧合せ縁４６が形成されている。また、下部枠部４７には縦合せ縁４３と連続して上部の水平合せ縁４５と平行状に水平合せ縁４８が形成され、この水平合せ縁４８と連続して斜状の下部合せ縁４９が形成されている。また、この上下の水平合せ縁４５，４８の端部寄りの所定の位置には対応して表面受け枠体２７の半割り軸受部３８，３９とにより上下の軸受部４１Ａ，４１Ｂを形成する半割りの軸受部５０，５１が形成されている。また、取付開口側となる上下方向には所定の間隔で複数のビス受け（本例では４か所示す）４０が形成されている。また、この裏面受け枠体２８には凹部２６を所定の範囲で遮蔽する遮蔽板５２が形成されるとともに、図２０に示すように所定の範囲で凹面５３に形成され、この凹面５３の上縁４３ａに相当する部分で窓部５３ａが開設されている。
【００１０】
このように形成された表面受け枠体２７と裏面受け枠体２８を型合わせすることで表示部受け枠体２２が形成されるとともに、この型合わせに際しその上下の軸受部４１Ａ，４１Ｂには表示枠体５５が回転可能に組み付けられる。
【００１１】
この表示枠体５５（表示部ともいう）は合成樹脂材を射出成形してなるもので、上記表示部受け枠体２２の凹部２６の納め可能な略方形中空状の表示本体５６と、この表示本体５６の上下の所定位置に形成される軸部７０，７１と表示本体５６の背面側に附設される支持ストッパー８０，８３とより構成され、この表示本体２６は上記表示部受け枠体２２と同様に表面表示枠体５７と裏面表示枠体６５の２部材による中空部を有する合せ型に形成されている。なお、上記と同様に中空部内には情報処理の配線機器が内装されるが、これを省略し、組み立て要部のみを説明する。
【００１２】
この表面表示枠体５７は図８および図９に示すように、その表面板５８は凹部２６に納め可能な略方形状に形成されるとともに、取付部２３側は縦合せ縁３０，４３に倣う段差状に形成されて、この表面板５８の四周には合せ縁５９が一連に形成されている。また、この表面板５８の上部側には液晶パネルを取付ける表示開口部６０が開設され、また、下部側には操作部６１が設けられている。
【００１３】
また、裏面表示枠体６５は図１０ないし図１３に示すように、この裏面板６６は図１２に示すように水平部６６ａと、この水平部６６ａより外側に膨出しかつ湾曲する湾曲部６６ｂとにより凹部２６に納め可能とする略方形状に形成されるとともに、水平部６６ａの取付部２３側は縦合せ縁３０，４３に倣う段差状に形成されて、上縁６７ａと下縁６７ｂとからなる縦合せ縁６７が形成されている。また、裏面板６６の上部には、この上縁６７ａに連続して湾曲部６６ｂの先端に向けて水平状に上部合せ縁６８が形成され、また、裏面板６６の下部側には下縁６７ｂに連続して湾曲部６６ｂの先端に向けて水平状に下部合せ縁６９が形成されされている。この様に形成された上下の合せ縁６８，６９には軸部７０，７１が一体に形成されている。
【００１４】
この軸部７０，７１は図１２および図１３に示すように上下部の合せ縁６８，６９で裏面板６６の水平部６６ａと湾曲部６６ｂとの段差部に近接した所定位置に対応して設けられ、この軸部７０は軸部４１Ａに回転可能に支承される所定径の中空柱状で所定の長さを有し、外周部の所定の位置には鍔部７２が形成されている。また、この上部合せ縁６８側の所定の位置には表示枠体５５を回動付勢するトーションバネ８８の一端を掛け止めする穴７３が形成されている。また、下部側の軸部７１も同様に形成されるとともに、この軸部７１の外周の所定の位置には表示枠体５５の回動を規制する規制片７４が突設されている。
【００１５】
また、裏面板６６の水平部６６ａの上下部には支持ストッパー８０，８３が取付けられる。このため、この水平部６６ａの縦合せ縁６７の上縁６７ａと対応する所定の範囲の位置には略長方形状で所定深さで上部支持ストッパー８０の嵌込み凹部７５が凹設され、この嵌込み凹部７５の上縁６７ａ側の上下には軸受部７６が形成されている。また、同水平部６６ａの縦合せ縁６７の下縁６７ｂと対応する所定の範囲には嵌込み凹部７５より小スペースの略長方形状で所定深さの下部支持ストッパー８３の嵌込み凹部７７が凹設され、嵌込み凹部７７の下縁６７ｂ側の上下には軸受部７８が形成されている。この様に凹設された嵌込み凹部７５，７７は接続凹部７９により接続され、支持ストッパー８０，８３が取付けられている。
【００１６】
この支持ストッパー８０は図１４に示すように、上部側の嵌込み凹部７５に嵌込み可能な略長方形状の板状に形成され、この下縁８０ａ側の所定の位置には連結凸部８１が形成され、この連結凸部８１は前縁８０ｂで切欠部８０ｃが形成され、この切欠部８０ｃには嵌込み凹部７５の下部の軸受部７６に回転可能に支承される所定の長さの下部ピン８２ａが形成され、この下部ピン８２ａと対応する上縁８０ｄの所定位置には上部の軸受部７６に支承される上部ピン８２ｂが形成されている。また、連結凸部８１の切欠部８０ｃと反対側縁部には連結ピン８１ｂを有する凹部８１ａが形成されている。
【００１７】
また、支持ストッパー８３は図１５に示すように下部側の嵌込み凹部７７に嵌込み可能な略長方形状に形成され、上縁８３ａの所定の位置には略Ｌ形状の連結凸部８４が形成され、この上縁８３ａの前縁８３ｂ側には嵌込み凹部７７の上部の軸受部７８に回転可能に支承される所定の長さの上部ピン８５ａが形成され、この上部ピン８５ａと対応する下縁８３ｃの所定位置には下部の軸受部７８に支承される下部ピン８５ｂが形成されている。また、連結凸部８４には連結ピン８４ｂを有する凹部８４ａが形成されている。また、回動先端となる後縁８３ｄの所定の範囲で傾斜面８３ｅが形成されている。
【００１８】
このように形成された支持ストッパー８０，８３は図２２に示すように、上部支持ストッパー８０の下部ピン８２ａにはトーシヨンバネ８６ａが取付けられて嵌込み凹部７５の上下部の軸受部７６に、また、支持ストッパー８３の上部ピン８５ａにはトーションバネ８６ｂが取付けられて嵌込み凹部７７の軸受部７８にそれぞれ枢着され、この支持ストッパー８０，８３はトーションバネ８６ａ，８６ｂにより外側方向へ付勢されるとともに、その連結ピン８１ｂ，８４ｂ間は略Ｓ字形状のジョイント８７により枢着連繋されて一連に作動するように設けられている（図２１参照）。
【００１９】
この様に形成された表面表示枠体５７と裏面表示枠体６５との間に各種配線機器が配設され、型合せすることで表示枠体５５が形成される。また、表面受け枠体２７と裏面受け枠体２８との間にも各種配線機器が配設され、この両枠体５７，６５を型合せする際に、半割り軸受部３８，５０および半割り軸受部３９，５１間に表示枠体５５に形成した軸部７０，７１が嵌込まれて型合わせすることで上下の軸受部４１Ａ，４１Ｂが形成されて表示枠体５５は回動可能に支承される。なお、この場合軸部７０，７１の中空部には図２、図２２に示すようにトーションバネ８８が挿入されてその内方のアーム端部は上下の合せ縁６８，６９に形成した穴７３に掛合され、外側のアーム端部は表示部受け枠体２２側に掛け止めされて、このトーションバネ８８により、図２０、図２１に示すように表示枠体５５は表示部受け枠体２２の凹部２６に納める反時計方向に付勢されている。
【００２０】
この様に表示枠体５５を取付けた表示部受け枠体２２の開口部側に形成したビス受け４０を介して取付枠体２１側と係脱するロックブラケット101 が取付けられ、また、取付枠体２１側にはロックブラケット101 を介してスライド可能に連繋支持するスライド支持部材９０が取付けられている。
【００２１】
このスライド支持部材９０は取付枠体２１の表示部受け枠体２２を取付ける取付面の長手方向に沿って取付けられるもので、図１６および図１７に示すように、所定の幅で所定の長さの取付プレート９１の上下の端部には、所定の幅で取付面側に略Ｌ字形状に折曲形成される支持片９２ａ，９２ｂが形成されるとともに、この支持片９２ａ，９２ｂの端部には水平状に対応して張出すスライド支持片９３ａ，９３ｂがそれぞれ形成され、このスライド支持片９３ａ，９３ｂの一側には取付プレート９１に当接するブラケット９４ａ，９４ｂが折曲形成されている。また、上下のスライド支持片９３ａ，９３ｂには図１７(b)(c)に示すように所定の角度で側方、すなわち、表示部受け枠体２２の取付状態より裏面側方向に向けて所定の長さのスライド長穴９５ａ，９５ｂが貫設されている。
【００２２】
また、この取付プレート９１の取付中心線Ｃ上には所定の間隔で取付穴９６が貫設され、また、同取付プレート９１の上端部寄りの所定の位置にはロックブラケット101 に形成したフック113 を挿通掛合するフック穴９７が対応して貫設されるとともに、同取付プレート９１のほぼ中央部および下端部寄りの対応する縁部にはロックブラケット101 に形成したフック114 を挿通掛合するフック凹部９８がそれぞれ凹設されている。このように形成されたスライド支持部材９０は取付枠体２１に取付けられている。
【００２３】
また、ロックブラケット101 はスライド支持部材９０と対応して表示部受け部材２２に形成したビス受け４０を介して取付けられるもので、このロックブラケット101 は図１８および図１９に示すようにベース部材102 とロックプレート111 とより構成されている。
【００２４】
このベース部材102 は所定の幅で所定の長さを有する受けプレート103 を主体とし、その左右の縁部には所定の範囲に取付枠体２１側に当接する脚部104a,104b が折曲形成されている。また、この受けプレート103 の上端部には所定の長さで幅狭の延出部105 が形成され、この延出部105 と受けプレート103 の端部には取付枠体２１側に開口する略コ字形状の接続部106a,106b が形成され、同端部には垂直状でビス受け４０への取付穴を有する取付片107a,107b がそれぞれ形成されている。また、このベース部材102 には、スライド支持部材９０に形成したフック穴９７およびフック凹部９８と整合するフック穴108 およびフック穴109 が貫設されている。また、下部側の接続部106bの内側片の所定の位置には切起し状に引張りバネ120 の掛合部110 が形成されている。
【００２５】
また、ロックプレート111 は受けプレート103 より幅狭で所定の長さに形成され、上端部側には幅狭で所定の長さの延出部112 が形成されている。また、この延出部112 の両縁の所定の位置にはフック穴108 に挿通され、かつスライド支持部材９０のフック穴９７に挿通係合可能に対応してフック113 が折曲形成されている。また、ロックプレート111 の左右の縁部の所定の位置には上下のフック穴109 に挿通され、かつスライド支持部材９０のフック凹部９８に挿通係合可能に対応してフック114 がそれぞれ折曲形成されている。
【００２６】
また、ロックプレート111 の中心線上には所定の間隔で所定の長さの長穴115a15b,115c（３か所例示した）が貫設されている。また、長穴115bの下部側にはつまみ116 が取付けられ。また、長穴115cの下部側には引張りバネ120 を掛合する掛合ピン117 が設けられている。この様に形成されたロックプレート111 はそのフック113,114 がそれぞれベース部材102 のフック穴108,109 に挿通された状態で、各長穴115a,115b,115cにピン118 が挿入され、各ピン118 はベース部材102 にカシメ止めされ、掛合部110 と掛合ピン117 間には引張りバネ120 が掛着されてロックプレート111 は下方へ付勢されている。なお、ベース部材102 の両側にはビス受け４０への取付ビスの逃し凹部119 が凹設されている。
【００２７】
また、ベース部材102 の上下に形成された略コ字形状の接続部106a,106b には取付枠体２１側へ所定の長さで水平状に張出す支持片121a,121b が取付けられるとともに、この支持片121a,121b の先端側には、取付枠体２１に取付けたスライド支持部材９０の上下のスライド支持片９３ａ，９３ｂに形成したスライド長穴９５ａ，９５ｂにスライド可能に嵌合されるスライドピン122 が対応して下方向きに取付けられている。
【００２８】
このように形成されたロックブラケット101 は表示部受け枠体２２の開口部側に取付けられるとともに、支持片121a,121b に取付けたスライドピン122 を介して取付枠体２１に取付けたスライド支持部材９０の上下のスライド支持片９３ａ，９３ｂに形成したスライド長穴９５ａ，９５ｂにスライド可能に嵌合係止され、この状態で表示部受け枠体２２を取付枠体２１側へ押すことで、ロックプレート111 に形成したフック113,114 はスライド支持部材９０のフック穴９７およびフック凹部９８に挿通係合されて表示部受け枠体２２はロックされている。
【００２９】
次に、上記のように構成されて表示装置２０の作用について説明すると、この表示装置２０を図２および図３に示すように表示部受け枠体２２の軸受部４１Ａ，４１Ｂに軸部７０，７１を介して回動可能に取付けた表示枠体５５を凹部２６に納めた状態でパチンコ機２を取付けた取付け基枠である間柱３に取付枠体２１を介して取付けると、同表示装置２１は間柱３の幅範囲内に垂直状に取付けられる。４１Ｂに軸部７０，７１を介して回動可能に取付けた表示枠体５５を凹部２６に納めた状態でパチンコ機２を取付けた取付け基枠である間柱３に取付枠体２１を介して取付けると、同表示装置２１は間柱３の幅範囲内に垂直状に取付けられる。
【００３０】
この表示枠体５５を凹部２６に納めた状態で、同表示枠体５５の裏面表示枠体６５に取付けられた上下の支持ストッパー８０，８３は同裏面表示枠体６５に形成した遮蔽板５２により押えられて裏面板６６に形成して嵌込み凹部７５，７７に納められている（図２０、図２１および図２２参照）。
【００３１】
この凹部２６に納められた表示枠体５５を引き出すには図２０の状態で裏面受け枠体２８に形成した凹面５３に開設した窓部５３ａより指で矢印方向に押すことで、表示枠体５５は軸部７０，７１を中心としトーションバネ８８に抗して回動され、表示枠体５５の自由端側はパチンコ機２の前面側に突出される。
【００３２】
そして、この表示枠体５５の突出部をもって図示時計方向へ回動すると、遮蔽板５２に押え込まれた上下の支持ストッパー８０，８３は、ジョイント８７により枢着連繋された状態で、その上下部ピン８２ａ，８２ｂおよび上下部ピン８５ａ，８５ｂを中心としてピン８２ａ，８５ａに取付けたトーションバネ８６ａ，８６ｂの付勢力により時計方向へ回動し、上部側の支持ストッパー８０の回動端は表示部受け枠体２２の取付部２３の段差上部の上縁４３ａ，３０ａを摺接し、また、下部側の支持ストッパー８３の回動端である後縁８３ｄに形成した傾斜面８３ｅは取付部２３の段差下部の下縁４３ｂ，３０ｂを摺接する。
【００３３】
この表示枠体５５の回動で下部側の軸部７１に形成した規制片７４が下部軸受部４１Ｂ回りの所定の位置に形成されたストッパー部（図示せず）に当接されると、表示枠体５５は回動がストップされるとともに、取付部２３の段差下部の下縁４３ｂ，３０ｂを摺接する支持ストッパー８３は下縁３０に形成した突起３１に係止される。この状態で表示枠体５５より手を放すと、同表示枠体５５は所定の角度に保持され、この保持角度は遊技者がほぼ正視することのできる角度である。
【００３４】
そして、この表示枠体５５を凹部２６側へ納める場合には、手により下部側の支持ストッパー８３を突起３１より掛け外し、手で押さえた状態にすると、表示枠体５５は軸部７０，７１の弾性復元力により反時計方向に回動され、上下部の支持ストッパー８０，８３の回転端部が遮蔽板５２の内側に位置した時点で手を放すことで、両支持ストッパー８０，８３は嵌込み凹部７５，７７に嵌込まれて表示枠体５５は表示部受け枠体２２の凹部２６に納められる。
【００３５】
この様に表示枠体５５は表示部受け枠体２２に対し、その凹部２６に納める位置と、軸部７０，７１を中心として遊技者が正視し得る角度位置に角度保持可能に構成したので、遊技者は容易に操作部６１を操作することができるとともに、表示部を正視することができるので、疲労することがない。また、パチンコ機２の異常でガラス枠、中枠等を開閉操作する際に、表示枠体５５が干渉する場合はは支持ストッパー８３を突起３１より外すことで、ほぼ自動的に支持枠体５５は凹部２６側へ納めることができるのでガラス枠、中枠等を開閉操作を迅速に行うことができ異常に対処できる。
【００３６】
また、図２２に示すように、パチンコ機２を取付けた取付け基枠である間柱３に取付けた取付枠体２１の表示部受け枠体２２の取付面側にはフック穴９７およびフック凹部９８を有し上下の端部側には表示部受け枠体２２をスライド連繋するためのスライド長穴９５ａ，９５ｂを貫設したスライド支持片９３ａ，９３ｂを形成したスライド支持部材９０を取付け、また、表示部受け枠体２２の開口側には、ベース部材102 とロックプレート111 とからなるロックブラケット101 が取付けられ、このベース部材102 の受けプレート103 にはスライド支持部材９０のフック穴９７およびフック凹部９８と対応してフック穴108,109 が貫設され、同ベース部材102 の上下端部には取付片107a,107b を有する略コ字形状の接続部106a,106b が形成され、ロックプレート111 の両側にはベース部材の102 のフック穴108,109 に挿通され、かつスライド支持部材９０のフック穴９７およびフック凹部９８と係脱可能に係合するフック113,114 が形成され、同ロックプレート111 の長手方向には所定に間隔で長穴115a,115b,115cが貫設されて、上下にスライド可能に下方へ付勢されるとともに、上下の接続部106a,106b にはスライド支持部材９０の上下のスライド支持片９３ａ，９３ｂのスライド長穴９５ａ，９５ｂにスライド可能に嵌込み連繋するスライドピン122 を有する支持片121a,121b を設けて、表示部受け枠体２１はスライド長穴９５ａ，９５ｂを介して表示枠体の裏面側側方へ移動可能に構成されている。
【００３７】
したがって、表示部受け枠体２２は、常時には開口側に取付けたロックブラケット101 のフック113,114 は取付枠体２１のスライド支持部材９０のフック穴９７およびフック凹部９８に係合されているので、表示枠体５５を回動操作してもぐらつき等することなく、安定保持することができる。また、パチンコ機２を交換する場合、表示枠体５５を表示部受け枠体２２の凹部２６に納めることで交換することができるが、パチンコ機２によっては干渉する場合があるが、スライド支持部材９０に設けたスライド支持片９３ａ，９３ｂのスライド長穴９５ａ，９５ｂに、ロックブラケット101 に形成した支持片121a,12bのスライドピン122 を介して嵌合連繋したので、ロックブラケット101 のロックプレート111 に取付けたつまみ116 を介して同プレート111 を上動することでフック113,114 はスライド支持部材９０のフック穴９７およびフック凹部９８との係合が解かれ、この状態で表示部受け枠体２２を手前側へ引くことで、スライド長穴９５ａ，９５ｂを介して、表示部受け枠体２２は表示枠体５５と一体に、表示枠体５５の裏面側側方へ引き出しされ、パチンコ機２の前面は広げられて交換を容易に行うことができる。また、この表示装置２０は表示枠体５５を凹部２６に納めることで、輸送時には省スペースに梱包することのできる便利性がある。
【００３８】
なお、上記実施形態においては、上記実施形態においては取付基枠に取付枠体２１および表示部受け枠体２２を介して表示枠体５５を回動可能に設けて例示したが、これに限定するものではなく、例えば取付基枠に回動可能に設ける構成であってもよい。
また、取付枠体２１を取付基枠の間柱３に取付けるように例示したが、これに限定するものではなく、取付枠体２１を間柱３に変え取付基枠の一部を構成するようにしてもよい。
また、表示部受け枠体２２に対し表示枠体５５を上下部の支持ストッパー８０，８３により所定の角度に保持するように例示したが、これに限定するものではなく、例えば下部側の支持ストッパー８３のみの構成であってもよい。また、この表示枠体５５の角度保持手段は、例えばプッシュロック等他の位置決め保持手段であってもよい。
【図面の簡単な説明】
【００３９】
【図１】可倒式表示装置の正面図である。
【図２】図１の左側面図である。
【図３】図１の右側面図である。
【図４】表面受け枠体の内面図である。
【図５】図４の左側面図である。
【図６】裏面受け枠体の内面図である。
【図７】図６の右側面図である。
【図８】表面表示枠体の内面図である。
【図９】図８の右側面図である。
【図１０】裏面表示枠体の裏面側の図である。
【図１１】図１０の左側面図である。
【図１２】図１０の平面図である。
【図１３】図１０の下面図である。
【図１４】上部側支持ストッパーの正面図である。
【図１５】下部側支持ストッパーの正面図である。
【図１６】スライド支持部材の正面図である。
【図１７】(a) 図１６の左側面図である。(b) 図１７(a) の平面図である。(c) 図１７(a) の下面図である。
【図１８】ロックブラケットの正面図である。
【図１９】図１８の左側面図である。
【図２０】表示部受け枠体の凹部に表示枠体を納めた状態を説明する平面図である。
【図２１】表示部受け枠体に対し表示枠体を回動した状態を説明する平面図である。
【図２２】表示部受け枠体と表示枠体の上部側を破断した表示部受け枠体の引き出しの説明図である。
【図２３】従来の表示装置の取付け状態の説明図である。
【符号の説明】
【００４０】
２  パチンコ機（遊技機）
３  間柱（取付基枠）
２０  可倒式表示装置
２１  取付枠体
２２  表示部受け枠体
２６  凹部
４１Ａ，４１Ｂ  軸受部
５５  表示枠体（表示部）
７０，７１  軸部
９０  スライド支持部材
９３ａ，９３ｂ  スライド支持片
９５ａ，９５ｂ  スライド長穴
101   ロックブラケット
121a,121b   支持片
122   スライドピン
【図１】
2006026438.tif 000003
【図２】
2006026438.tif 000004
【図３】
2006026438.tif 000005
【図４】
2006026438.tif 000006
【図５】
2006026438.tif 000007
【図６】
2006026438.tif 000008
【図７】
2006026438.tif 000009
【図８】
2006026438.tif 000010
【図９】
2006026438.tif 000011
【図１０】
2006026438.tif 000012
【図１１】
2006026438.tif 000013
【図１２】
2006026438.tif 000014
【図１３】
2006026438.tif 000015
【図１４】
2006026438.tif 000016
【図１５】
2006026438.tif 000017
【図１６】
2006026438.tif 000018
【図１７】
2006026438.tif 000019
【図１８】
2006026438.tif 000020
【図１９】
2006026438.tif 000021
【図２０】
2006026438.tif 000022
【図２１】
2006026438.tif 000023
【図２２】
2006026438.tif 000024
【図２３】
2006026438.tif 000025